(57)【要約】【課題】貨幣をやり取りする相手や周囲の人が感じる違和感を抑制しつつ、貨幣の正確且つ円滑な使用を補助できる眼鏡型貨幣識別装置の提供。【解決手段】眼鏡部１５と、眼鏡部１５に設けられる貨幣識別部１６とを有し、貨幣識別部１６は、眼鏡部１５の前方を撮像する撮像手段５１，５３と、撮像手段５１，５３が撮像した撮像データ内に貨幣の貨幣像データを検出した場合に貨幣像データに基づいて貨幣を識別する識別手段と、識別手段の識別結果に基づいて眼鏡部１５の前部に表示を行う表示手段３４と、を備える。【選択図】図１
2016146065.tif 000002
【特許請求の範囲】
【請求項１】
眼鏡部と、
前記眼鏡部に設けられる貨幣識別部とを有し、
前記貨幣識別部は、
前記眼鏡部の前方を撮像する撮像手段と、
前記撮像手段が撮像した撮像データ内に貨幣の貨幣像データを検出した場合に前記貨幣像データに基づいて前記貨幣を識別する識別手段と、
前記識別手段の識別結果に基づいて前記眼鏡部の前部に表示を行う表示手段と、を備えることを特徴とする眼鏡型貨幣識別装置。
【請求項２】
前記識別手段は、前記貨幣の金種を識別し、
前記表示手段は、前記識別手段が識別した前記貨幣の金種を表示することを特徴とする請求項１記載の眼鏡型貨幣識別装置。
【請求項３】
前記表示手段は、前記撮像データを表示するとともに前記識別手段が識別した前記貨幣の金種を前記撮像データ内の前記貨幣像データと関連付けて表示することを特徴とする請求項２記載の眼鏡型貨幣識別装置。
【請求項４】
前記識別手段は、前記撮像データ内に複数の貨幣の貨幣像データを検出した場合に、これら複数の貨幣像データに基づいて前記複数の貨幣のそれぞれの金種を識別し、
前記表示手段は、前記識別手段が識別した前記複数の貨幣の金種をそれぞれ表示することを特徴とする請求項１記載の眼鏡型貨幣識別装置。
【請求項５】
前記表示手段は、前記撮像データを表示するとともに前記識別手段が識別した前記複数の貨幣のそれぞれの金種を前記撮像データ内の前記複数の貨幣像データと個別に関連付けて表示することを特徴とする請求項４記載の眼鏡型貨幣識別装置。
【請求項６】
前記識別手段は、前記撮像データ内に複数の貨幣の貨幣像データを検出した場合に、これら複数の貨幣像データに基づいて前記複数の貨幣のそれぞれの金種を識別し、
前記表示手段は、前記識別手段が識別した前記複数の貨幣の合計額面を表示することを特徴とする請求項１，４，５のいずれか一項記載の眼鏡型貨幣識別装置。
【請求項７】
前記識別手段は、前記撮像データ内に複数の貨幣の貨幣像データを検出した場合に、これら複数の貨幣像データに基づいて前記複数の貨幣のそれぞれの金種を識別し、
前記表示手段は、前記識別手段が識別した前記複数の貨幣の各金種別の枚数を表示することを特徴とする請求項１，４，５，６のいずれか一項記載の眼鏡型貨幣識別装置。
【請求項８】
前記貨幣識別部は、代金金額を入力する入力手段を有しており、
前記識別手段は、前記撮像データ内に複数の貨幣の貨幣像データを検出した場合に、これら複数の貨幣像データに基づいて前記複数の貨幣のそれぞれの金種を識別して前記代金金額を支払うのに最適な最適支払貨幣を選択し、
前記表示手段は、前記撮像データを表示するとともに、前記最適支払貨幣を、前記撮像データ内の前記最適支払貨幣の貨幣像データと関連付けて表示することを特徴とする請求項１，４，５，６，７のいずれか一項記載の眼鏡型貨幣識別装置。
【請求項９】
前記貨幣識別部は、前記最適支払貨幣の合計額面から前記代金金額を減算した釣銭金額を算出する算出手段を有しており、
前記表示手段は、前記代金金額と、前記最適支払貨幣の合計額面と、前記釣銭金額とを表示することを特徴とする請求項８記載の眼鏡型貨幣識別装置。
【請求項１０】
前記貨幣識別部は、為替レートを記憶する記憶手段を有しており、
前記表示手段は、前記識別手段が識別した前記貨幣の額面を前記為替レートに基づき変換して表示することを特徴とする請求項１乃至９のいずれか一項記載の眼鏡型貨幣識別装置。
【請求項１１】
前記貨幣識別部は、無線通信手段を有しており、該無線通信手段を介して前記為替レートを外部から取得して前記記憶手段に記憶することを特徴とする請求項１０記載の眼鏡型貨幣識別装置。
【請求項１２】
前記撮像手段は、
可視光を検出する可視光カメラと、
赤外線を照射する赤外線照射手段と、
赤外線を検出する赤外線カメラと、を有しており、
前記識別手段は、
前記可視光カメラの撮像データ内に硬貨の貨幣像データを検出した場合に前記硬貨の貨幣像データに基づいて前記硬貨の金種を識別し、
前記可視光カメラの撮像データ内に紙幣の貨幣像データを検出した場合に前記紙幣の貨幣像データに基づいて前記紙幣の金種を識別し、
前記赤外線カメラの検出結果から前記紙幣の真偽を識別することを特徴とする請求項１乃至１１のいずれか一項記載の眼鏡型貨幣識別装置。
【発明の詳細な説明】
【技術分野】
【０００１】
本発明は、ウエアラブルな眼鏡型貨幣識別装置に関する。
【背景技術】
【０００２】
紙幣等の偽造を鑑別できる携帯に便利な偽造鑑別装置がある。この偽造鑑別装置は、箱型をなしており、鑑別対象物上に下部平面を密着させると、窓部を通して非可視光が鑑別対象物に照射されるようになっており、その画像を内部の撮像手段で撮像し、上部平面に設けられた表示手段に表示させるようになっている（例えば、特許文献１参照）。
【０００３】
また、視界を撮像するとともに視界内において利用者が注視している注視対象を特定し、この注視対象に関連した情報を取得し表示する眼鏡型表示装置がある（例えば、特許文献２参照）。
【先行技術文献】
【特許文献】
【０００４】
【特許文献１】特開平７−３１１８６６号公報
【特許文献２】特開２０１２−８２９０号公報
【発明の概要】
【発明が解決しようとする課題】
【０００５】
上記した特許文献１に記載の偽造鑑別装置は、使用時には、鑑別対象物上に下部平面を密着させる必要があり、鑑別対象物を鑑別している行為が明らかであることから、貨幣をやり取りする相手や周囲の人に違和感を生じさせてしまう。よって、容易に使用することはできない。また、特許文献２に記載された眼鏡型表示装置では貨幣の識別を行うことはできない。
【０００６】
ところで、日本人が海外で外国の貨幣を使用する場合や、外国人が日本で日本の貨幣を使用する場合等、不慣れな貨幣を使用する場合には、貨幣の視認による判断に遅れを生じ易く、正確且つ円滑に使用することができない場合がある。
【０００７】
本発明は、貨幣をやり取りする相手や周囲の人が感じる違和感を抑制しつつ、貨幣の正確且つ円滑な使用を補助できる眼鏡型貨幣識別装置の提供を目的とする。
【課題を解決するための手段】
【０００８】
上記目的を達成するために、請求項１に係る発明は、眼鏡部と、前記眼鏡部に設けられる貨幣識別部とを有し、前記貨幣識別部は、前記眼鏡部の前方を撮像する撮像手段と、前記撮像手段が撮像した撮像データ内に貨幣の貨幣像データを検出した場合に前記貨幣像データに基づいて前記貨幣を識別する識別手段と、前記識別手段の識別結果に基づいて前記眼鏡部の前部に表示を行う表示手段と、を備えることを特徴とする。
【０００９】
請求項２に係る発明は、請求項１に係る発明において、前記識別手段は、前記貨幣の金種を識別し、前記表示手段は、前記識別手段が識別した前記貨幣の金種を表示することを特徴とする。
【００１０】
請求項３に係る発明は、請求項２に係る発明において、前記表示手段は、前記撮像データを表示するとともに前記識別手段が識別した前記貨幣の金種を前記撮像データ内の前記貨幣像データと関連付けて表示することを特徴とする。
【００１１】
請求項４に係る発明は、請求項１に係る発明において、前記識別手段は、前記撮像データ内に複数の貨幣の貨幣像データを検出した場合に、これら複数の貨幣像データに基づいて前記複数の貨幣のそれぞれの金種を識別し、前記表示手段は、前記識別手段が識別した前記複数の貨幣の金種をそれぞれ表示することを特徴とする。
【００１２】
請求項５に係る発明は、請求項４に係る発明において、前記表示手段は、前記撮像データを表示するとともに前記識別手段が識別した前記複数の貨幣のそれぞれの金種を前記撮像データ内の前記複数の貨幣像データと個別に関連付けて表示することを特徴とする。
【００１３】
請求項６に係る発明は、請求項１，４，５のいずれか一項に係る発明において、前記識別手段は、前記撮像データ内に複数の貨幣の貨幣像データを検出した場合に、これら複数の貨幣像データに基づいて前記複数の貨幣のそれぞれの金種を識別し、前記表示手段は、前記識別手段が識別した前記複数の貨幣の合計額面を表示することを特徴とする。
【００１４】
請求項７に係る発明は、請求項１，４，５，６のいずれか一項に係る発明において、前記識別手段は、前記撮像データ内に複数の貨幣の貨幣像データを検出した場合に、これら複数の貨幣像データに基づいて前記複数の貨幣のそれぞれの金種を識別し、前記表示手段は、前記識別手段が識別した前記複数の貨幣の各金種別の枚数を表示することを特徴とする。
【００１５】
請求項８に係る発明は、請求項１，４，５，６，７のいずれか一項に係る発明において、前記貨幣識別部は、代金金額を入力する入力手段を有しており、前記識別手段は、前記撮像データ内に複数の貨幣の貨幣像データを検出した場合に、これら複数の貨幣像データに基づいて前記複数の貨幣のそれぞれの金種を識別して前記代金金額を支払うのに最適な最適支払貨幣を選択し、前記表示手段は、前記撮像データを表示するとともに、前記最適支払貨幣を、前記撮像データ内の前記最適支払貨幣の貨幣像データと関連付けて表示することを特徴とする。
【００１６】
請求項９に係る発明は、請求項８に係る発明において、前記貨幣識別部は、前記最適支払貨幣の合計額面から前記代金金額を減算した釣銭金額を算出する算出手段を有しており、前記表示手段は、前記代金金額と、前記最適支払貨幣の合計額面と、前記釣銭金額とを表示することを特徴とする。
【００１７】
請求項１０に係る発明は、請求項１乃至９のいずれか一項に係る発明において、前記貨幣識別部は、為替レートを記憶する記憶手段を有しており、前記表示手段は、前記識別手段が識別した前記貨幣の額面を前記為替レートに基づき変換して表示することを特徴とする。
【００１８】
請求項１１に係る発明は、請求項１０に係る発明において、前記貨幣識別部は、無線通信手段を有しており、該無線通信手段を介して前記為替レートを外部から取得して前記記憶手段に記憶することを特徴とする。
【００１９】
請求項１２に係る発明は、請求項１乃至１１のいずれか一項に係る発明において、前記撮像手段は、可視光を検出する可視光カメラと、赤外線を照射する赤外線照射手段と、赤外線を検出する赤外線カメラと、を有しており、前記識別手段は、前記可視光カメラの撮像データ内に硬貨の貨幣像データを検出した場合に前記硬貨の貨幣像データに基づいて前記硬貨の金種を識別し、前記可視光カメラの撮像データ内に紙幣の貨幣像データを検出した場合に前記紙幣の貨幣像データに基づいて前記紙幣の金種を識別し、前記赤外線カメラの検出結果から前記紙幣の真偽を識別することを特徴とする。
【発明の効果】
【００２０】
請求項１に係る発明によれば、使用者が眼鏡部をかけると、眼鏡部に設けられた貨幣識別部の撮像手段が使用者の視界の方向となる前方を撮像する。貨幣識別部の識別手段は、撮像手段が撮像した撮像データ内に貨幣の貨幣像データを検出した場合に、貨幣像データに基づいて貨幣を識別する。そして、識別手段の識別結果に基づいて表示手段が眼鏡部の前部に表示を行う。使用者はこの表示を見て、前方にある貨幣に関する情報を得る。よって、貨幣をやり取りする相手や周囲の人が感じる違和感を抑制しつつ、貨幣の正確且つ円滑な使用を補助できる。
【００２１】
請求項２に係る発明によれば、識別手段が撮像データ内の貨幣の貨幣像データに基づいて貨幣の金種を識別することになり、表示手段は、識別手段が識別した貨幣の金種を眼鏡部の前部に表示する。使用者はこの表示を見て、前方にある貨幣の金種を認識する。よって、貨幣の金種判断を補助することができ、貨幣の正確且つ円滑な使用を補助できる。
【００２２】
請求項３に係る発明によれば、表示手段は、撮像データを表示するとともに識別手段が識別した貨幣の金種を撮像データ内の貨幣像データと関連付けて表示するため、金種の判断対象となる貨幣を使用者に正しく認識させることができる。
【００２３】
請求項４に係る発明によれば、識別手段が撮像データ内の複数の貨幣の貨幣像データに基づいて複数の貨幣のそれぞれの金種を識別することになり、表示手段は、識別手段が識別した複数の貨幣の金種をそれぞれ眼鏡部の前部に表示する。使用者はこの表示を見て、前方にある複数の貨幣のそれぞれの金種を認識する。よって、複数の貨幣の金種判断を補助することができ、複数の貨幣の正確且つ円滑な使用を補助できる。
【００２４】
請求項５に係る発明によれば、表示手段は、撮像データを表示するとともに識別手段が識別した複数の貨幣のそれぞれの金種を撮像データ内の複数の貨幣像データと個別に関連付けて表示するため、金種の判断対象の複数の貨幣を使用者に正しく認識させることができる上、判断した各金種と各貨幣との対応関係を使用者に正しく認識させることができる。
【００２５】
請求項６に係る発明によれば、識別手段が撮像データ内の複数の貨幣の貨幣像データに基づいて複数の貨幣のそれぞれの金種を識別することになり、表示手段は、識別手段が識別した複数の貨幣の合計額面を表示する。使用者はこの表示を見て、前方にある複数の貨幣の合計額面を認識する。よって、複数の貨幣の合計額面の判断を補助することができ、複数の貨幣の正確且つ円滑な使用を補助できる。
【００２６】
請求項７に係る発明によれば、識別手段が撮像データ内の複数の貨幣の貨幣像データに基づいて複数の貨幣のそれぞれの金種を識別することになり、表示手段は、識別手段が識別した複数の貨幣の各金種別の枚数を表示する。使用者はこの表示を見て、前方にある複数の貨幣の各金種別の枚数を認識する。よって、複数の貨幣の各金種別の枚数の判断を補助することができ、複数の貨幣の正確且つ円滑な使用を補助できる。
【００２７】
請求項８に係る発明によれば、入力手段に代金金額が入力されると、識別手段は、撮像データ内の複数の貨幣像データに基づいて複数の貨幣のそれぞれの金種を識別して代金金額を支払うのに最適な最適支払貨幣を選択する。すると、表示手段は、撮像データを表示するとともに、識別手段で選択された最適支払貨幣を、撮像データ内の最適支払貨幣の貨幣像データと関連付けて表示する。使用者はこの表示を見て、前方にある複数の貨幣の中の最適支払貨幣を認識する。よって、代金金額の正確且つ円滑な支払いを補助することができる。
【００２８】
請求項９に係る発明によれば、算出手段が最適支払貨幣の合計額面から代金金額を減算した釣銭金額を算出すると、表示手段は、代金金額と最適支払貨幣の合計額面と釣銭金額とを表示する。使用者はこの表示を見て、代金金額と最適支払貨幣の合計額面と釣銭金額とを認識することができる。よって、代金金額の正確且つ円滑な支払いを補助することができる。
【００２９】
請求項１０に係る発明によれば、表示手段は、識別手段が識別した貨幣の額面を、記憶手段が記憶する為替レートに基づき変換して表示するため、使用者はこの表示を見れば、不慣れな貨幣の価値を慣れた貨幣の価値で認識できる。
【００３０】
請求項１１に係る発明によれば、無線通信手段を介して為替レートを外部から取得して記憶手段に記憶するため、為替レートの変動に追従することが可能となる。
【００３１】
請求項１２に係る発明によれば、識別手段は、可視光カメラの撮像データ内に硬貨の貨幣像データを検出した場合に硬貨の貨幣像データに基づいて硬貨の金種を識別し、可視光カメラの撮像データ内に紙幣の貨幣像データを検出した場合に、紙幣の貨幣像データに基づいて紙幣の金種を識別する。また、識別手段は、赤外線カメラの検出結果から紙幣の真偽を識別する。このため、紙幣については、真偽も識別できる。
【図面の簡単な説明】
【００３２】
【図１】本発明の一実施形態に係る眼鏡型貨幣識別装置を示す斜視図である。
【図２】本発明の一実施形態に係る眼鏡型貨幣識別装置を示すブロック図である。
【図３】本発明の一実施形態に係る眼鏡型貨幣識別装置の第１紙幣金種識別モードでのディスプレイの表示例を示す図である。
【図４】本発明の一実施形態に係る眼鏡型貨幣識別装置の第２紙幣金種識別モードでのディスプレイの表示例を示す図である。
【図５】本発明の一実施形態に係る眼鏡型貨幣識別装置の紙幣合計額面算出モードでのディスプレイの表示例を示す図である。
【図６】本発明の一実施形態に係る眼鏡型貨幣識別装置の紙幣真偽識別モードでのディスプレイの表示例を示す図である。
【図７】本発明の一実施形態に係る眼鏡型貨幣識別装置の紙幣真偽識別ガイドモードでのディスプレイの表示例を示す図である。
【図８】本発明の一実施形態に係る眼鏡型貨幣識別装置の硬貨金種識別モードでのディスプレイの表示例を示す図である。
【図９】本発明の一実施形態に係る眼鏡型貨幣識別装置の硬貨合計額面算出モードでのディスプレイの表示例を示す図である。
【図１０】本発明の一実施形態に係る眼鏡型貨幣識別装置の第１最適支払硬貨選択モードでのディスプレイの表示例を示す図である。
【図１１】本発明の一実施形態に係る眼鏡型貨幣識別装置の第１最適支払硬貨選択モードでのディスプレイの別の表示例を示す図である。
【図１２】本発明の一実施形態に係る眼鏡型貨幣識別装置の第２最適支払硬貨選択モードでのディスプレイの表示例を示す図である。
【発明を実施するための形態】
【００３３】
本発明の一実施形態に係る眼鏡型貨幣識別装置を図面を参照して以下に説明する。本実施形態に係る眼鏡型貨幣識別装置１１は、使用者が眼鏡のように顔にかけた状態で使用するウエアラブルな貨幣識別装置である。眼鏡型貨幣識別装置１１は、使用者の顔面前方に配置されて使用者の鼻に支持されるフロント部１２と、フロント部１２の左右両端から後方に延出して使用者の両耳に支持される一対のテンプル部１３，１４とを有する眼鏡部１５を有している。また、眼鏡型貨幣識別装置１１は、この眼鏡部１５に一体に設けられて貨幣を識別する貨幣識別部１６とを有している。
【００３４】
フロント部１２は、左右一対のリム２１，２２と、一対のリム２１，２２を繋ぐブリッジ２３と、一対のリム２１，２２内に装着される左右一対のレンズ２４，２５と、一対のリム２１，２２のブリッジ２３側且つ後側に設けられる左右一対のパッド２６，２７とを有している。一対のテンプル部１３，１４は、フロント部１２に揺動可能に連結されており、フロント部１２に近接するように折り畳まれ、フロント部１２から後方に延出するように開かれる。眼鏡部１５は、フロント部１２に対して一対のテンプル部１３，１４が開かれた状態で、フロント部１２の一対のパッド２６，２７が使用者の鼻に支持され、一対のテンプル部１３，１４が使用者の両耳に支持されて、使用者の頭部に装着される。このとき、左側のリム２１およびその内側のレンズ２４は、使用者の左目の前方に左目を覆うように配置され、右側のリム２２およびその内側のレンズ２５は、使用者の右目の前方に右目を覆うように配置される。
【００３５】
貨幣識別部１６は、右側のテンプル部１４の後部に一体に設けられるバッテリ収納部３１と、右側のテンプル部１４の下側に配置されてこのテンプル部１４に固定される側部筐体３２と、右側のリム２２の右側部の前側に配置されてこの右側部に固定される右前部筐体３３と、右前部筐体３３の左端から左方に延出して右側のレンズ２５の前方に配置される透過型のディスプレイ３４（表示手段）と、左側のリム２１の左側部の前側に配置されてこの左側部に固定される左前部筐体３５とを有している。側部筐体３２と右前部筐体３３とは、右側のテンプル部１４のフロント部１２に対する揺動時に同様に揺動するように連結されている。
【００３６】
貨幣識別部１６は、貨幣識別部１６の電源となる図２に示すバッテリ４１を有しており、バッテリ４１は図１に示すバッテリ収納部３１に収納されている。このバッテリ４１は、電源ケーブルを介して外部電源に接続され外部電源から給電されて充電される。
【００３７】
図２に示すように、貨幣識別部１６は、これを制御する制御装置４２と、タッチパネル式の操作入力装置４３（入力手段）と、マイクロフォンからなる音声入力装置４４（入力手段）と、電源のオンオフ等を切り替えるスイッチ４５と、外部と無線通信を行う無線通信部４６（無線通信手段）とを有している。また、貨幣識別部１６は、可視光を検出する可視光カメラ５１（撮像手段）と、赤外線を照射する赤外線ＬＥＤ５２（撮像手段，赤外線照射手段）と、赤外線を検出する赤外線カメラ５３（撮像手段）と、を有している。
【００３８】
制御装置４２は、図１に示す側部筐体３２内に設けられている。操作入力装置４３は、側部筐体３２の右側面に設けられており、眼鏡型貨幣識別装置１１を装着した使用者の右手の指でフリック操作およびタップ操作される。音声入力装置４４は側部筐体３２の下面に設けられており、眼鏡型貨幣識別装置１１を装着した使用者の音声を検出する。スイッチ４５は、右側のテンプル部１４の上面に設けられており、眼鏡型貨幣識別装置１１を装着した使用者の右手の指でプッシュ操作される。電源オフの状態でスイッチ４５がプッシュ操作されると制御装置４２は電源をオンの状態とし、電源オンの状態でスイッチ４５が長押し操作されると制御装置４２は電源をオフの状態とする。
【００３９】
ディスプレイ３４は、右前部筐体３３に一体に設けられ右前部筐体３３から左方に延出して右側のレンズ２５の前方に配置されており、眼鏡型貨幣識別装置１１を装着した使用者の右目の視界内の一部に視認可能に情報を表示する。可視光カメラ５１は、右前部筐体３３に設けられ、右前部筐体３３の前面から前方の可視光を受光して動画の撮像を行う。これにより、可視光カメラ５１は、眼鏡部１５の前方を撮像する。可視光カメラ５１はオートフォーカス機能を有する高感度カメラであり、自動露光であり、露出およびズームをマニュアル調整可能となっている。赤外線ＬＥＤ５２は、左前部筐体３５に設けられ、左前部筐体３５の前面から前方に赤外線を照射する。赤外線カメラ５３は、左前部筐体３５に赤外線ＬＥＤ５２と並んで設けられ、左前部筐体３５の前面から前方の赤外線を受光して動画の撮像を行う。これにより、赤外線カメラ５３は、眼鏡部１５の前方を撮像する。赤外線ＬＥＤ５２および赤外線カメラ５３は検出対象物との距離についても検出可能となっている。
【００４０】
制御装置４２は、ＣＰＵ６１（識別手段，算出手段）とデータを記憶する記憶部６２（記憶手段）とを有している。記憶部６２は、各国硬貨の可視光下での図柄のマスタデータと、各国紙幣の可視光下での図柄および赤外光下での図柄のマスタデータと、為替レートとを記憶している。ＣＰＵ６１は、所定時間間隔毎に無線通信部４６を介して外部サーバにアクセスし、外部サーバから為替レートを取得して記憶部６２に記憶する。
【００４１】
ＣＰＵ６１は、可視光カメラ５１が撮像した可視光下の撮像データ内に貨幣の貨幣像データを検出した場合に、この貨幣像データに基づいてこの貨幣像データに対応する貨幣の金種を識別する。つまり、ＣＰＵ６１は、可視光カメラ５１が撮像した可視光下の撮像データ（外形および図柄のデータ）内に、例えば外形形状に基づいて貨幣であると推定される部分の貨幣像データを検出すると、この貨幣像データの大きさおよび角度を、この貨幣と眼鏡型貨幣識別装置１１との距離と、この貨幣の外形形状とに基づいて推定する。ここで、距離は、例えば赤外線ＬＥＤ５２の発光と赤外線カメラ５３の受光との時間差により算出する。そして、記憶部６２に記憶された可視光下の各貨幣の図柄のマスタデータを、推定した大きさおよび角度に合わせるように補正し、補正後の各マスタデータと、検出した貨幣像データとを比較する。補正後のマスタデータの中に、検出した貨幣像データと許容範囲内で一致するものがある場合に、この貨幣像データの貨幣の金種を、許容範囲内で一致するマスタデータの金種であると識別する。
【００４２】
具体的に、ＣＰＵ６１は、可視光カメラ５１が撮像した可視光下の撮像データ内に、例えば外形形状に基づいて硬貨であると推定される部分の貨幣像データを検出すると、この検出した可視光下の貨幣像データの大きさおよび角度を、この硬貨と眼鏡型貨幣識別装置１１との距離と、この硬貨の外形形状とに基づいて推定する。そして、記憶部６２に記憶された可視光下の各硬貨の図柄のマスタデータを、推定した大きさおよび角度に合わせるように補正し、補正後の各マスタデータと、検出した可視光下の貨幣像データとを比較する。補正後の可視光下のマスタデータの中に、検出した可視光下の貨幣像データと許容範囲内で一致するものがある場合に、この検出した可視光下の貨幣像データの硬貨の金種を、この貨幣像データと許容範囲内で一致するマスタデータの金種であると識別する。このとき、大きさから明らかに異なる硬貨のマスタデータについては補正および比較を省略する。
【００４３】
また、ＣＰＵ６１は、可視光カメラ５１が撮像した可視光下の撮像データ内に、例えば外形形状に基づいて紙幣であると推定される部分の貨幣像データを検出すると、この検出した可視光下の貨幣像データの大きさおよび角度を、この紙幣と眼鏡型貨幣識別装置１１との距離と、この紙幣の外形形状とに基づいて推定する。そして、記憶部６２に記憶された可視光下の各紙幣の図柄のマスタデータを、推定した大きさおよび角度に合わせるように補正し、補正後の各マスタデータと、検出した可視光下の貨幣像データとを比較する。補正後の可視光下のマスタデータの中に、検出した可視光下の貨幣像データと許容範囲内で一致するものがある場合に、この検出した可視光下の貨幣像データの紙幣の金種を、この貨幣像データと許容範囲内で一致するマスタデータの金種であると識別する。このとき、大きさから明らかに異なる紙幣のマスタデータについては補正および比較を省略する。
【００４４】
加えて、ＣＰＵ６１は、紙幣については、上記のように識別した金種の、記憶部６２に記憶された赤外光下の図柄のマスタデータを、検出した可視光下の貨幣像データの大きさおよび角度に合わせるように補正する。そして、ＣＰＵ６１は、この紙幣の検出した可視光下の貨幣像データと一致する範囲について赤外線カメラ５３が撮像した赤外光下の貨幣像データ（赤外線カメラ５３の検出結果）を、補正後の赤外光下のマスタデータと比較し、これらが許容範囲内で一致すれば、この貨幣像データの紙幣が真券であると識別し、一致しなければ偽券であると識別する。
【００４５】
例えば、可視光カメラ５１が撮像した可視光下の撮像データ内に、外形形状に基づいて硬貨であると推定される部分の貨幣像データを検出すると、ＣＰＵ６１は、この検出した可視光下の貨幣像データの大きさおよび角度を、この硬貨と眼鏡型貨幣識別装置１１との距離と、この硬貨の外形形状とに基づいて推定する。そして、記憶部６２に記憶された可視光下の各硬貨の図柄のマスタデータを、推定した大きさおよび角度に合わせるように補正し、補正後の各マスタデータと、検出した可視光下の貨幣像データとを比較する。例えば、補正後の可視光下のマスタデータの中の１円硬貨のマスタデータと、検出した可視光下の貨幣像データとが許容範囲内で一致する場合に、この検出した可視光下の貨幣像データの硬貨の金種を１円であると識別する。５円硬貨、１０円硬貨、５０円硬貨、１００円硬貨、５００円硬貨も同様に金種を識別する。
【００４６】
ここで、記憶部６２には、外国の硬貨のマスタデータも記憶されており、よって、ＣＰＵ６１は、上記と同様にして、外国の硬貨についても金種を識別可能となっている。また、ＣＰＵ６１は、可視光カメラ５１が撮像した可視光下の撮像データ内に複数の硬貨の貨幣像データを検出した場合には、これら複数の貨幣像データのそれぞれに基づき、上記と同様にして複数の硬貨のそれぞれの金種を識別する。
【００４７】
また、例えば、可視光カメラ５１が撮像した可視光下の撮像データ内に、外形形状に基づいて紙幣であると推定される部分の貨幣像データを検出すると、ＣＰＵ６１は、この検出した可視光下の貨幣像データの大きさおよび角度を、この紙幣と眼鏡型貨幣識別装置１１との距離と、この紙幣の外形形状とに基づいて推定する。そして、記憶部６２に記憶された可視光下の各紙幣の図柄のマスタデータを、推定した大きさおよび角度に合わせるように補正し、補正後の各マスタデータと、検出した可視光下の貨幣像データとを比較する。例えば、補正後の可視光下のマスタデータの中の千円紙幣のマスタデータと、検出した可視光下の貨幣像データとが許容範囲内で一致する場合に、この検出した可視光下の貨幣像データの紙幣の金種を千円であると識別する。加えて、ＣＰＵ６１は、千円紙幣の、記憶部６２に記憶された赤外光下の図柄のマスタデータを、検出した可視光下の貨幣像データの大きさおよび角度に合わせるように補正する。そして、ＣＰＵ６１は、検出した可視光下の貨幣像データと一致する範囲について赤外線カメラ５３が撮像した赤外光下の貨幣像データを、補正後の赤外光下の千円紙幣のマスタデータと比較し、これらが許容範囲内で一致すれば、この貨幣像データの千円紙幣が真券であると識別し、一致しなければ偽券であると識別する。二千円紙幣、五千円紙幣、一万円紙幣も同様に金種および真偽を識別する。
【００４８】
ここで、記憶部６２には、外国の紙幣のマスタデータも記憶されており、よって、ＣＰＵ６１は、上記と同様にして、外国の紙幣についても金種および真偽を識別可能となっている。また、ＣＰＵ６１は、可視光カメラ５１が撮像した可視光下の撮像データ内に複数の紙幣の貨幣像データを検出した場合には、これら複数の貨幣像データのそれぞれに基づき、上記と同様にして複数の紙幣のそれぞれの金種を識別するとともに、これら複数の貨幣像データの範囲に対応する赤外光下の貨幣像データに基づき、上記と同様にして複数の紙幣のそれぞれ真偽を識別する。
【００４９】
ＣＰＵ６１は、上記の識別結果に基づく情報を、ディスプレイ３４によって眼鏡部１５の前部における、使用者の右目の視界内の一部に視認可能に表示する。
【００５０】
スイッチ４５がオンされると、ＣＰＵ６１は、ディスプレイ３４にメニュー画面を表示させる。ＣＰＵ６１は、このメニュー画面が表示された状態で、操作入力装置４３に入力されるフリック操作およびタップ操作で選択されたモードを実行する。あるいは、ＣＰＵ６１は、音声入力装置４４に入力された音声を解析して選択されたモードを割り出しこのモードを実行する。以下、各モード別の制御をディスプレイ３４への表示例とともに説明する。
【００５１】
「第１紙幣金種識別モード」
第１紙幣金種識別モードが選択されると、ＣＰＵ６１は、可視光カメラ５１で撮像された撮像データ内で紙幣の貨幣像データの検出を行う（硬貨の貨幣像データの検出は行わない）。撮像データ内から一枚のみの紙幣の貨幣像データを検出すると、ＣＰＵ６１は、この紙幣の貨幣像データに基づき、この紙幣について上記のようにして金種を識別し、ディスプレイ３４に、この紙幣の額面つまり金種のテキスト表示を表示させる。このとき、ＣＰＵ６１は、ディスプレイ３４に可視光カメラ５１の撮像データを表示させるとともに、この撮像データ内の紙幣の貨幣像データに、識別した紙幣の金種を関連付けて表示させる。
【００５２】
例えば、検出した紙幣の貨幣像データに基づき、この紙幣は金種が一万円であると識別した場合、ＣＰＵ６１は、図３（ａ）に示すように、ディスプレイ３４に、この紙幣の貨幣像データＤ１ａを含む撮像データＤ１を表示させるとともに、この紙幣の貨幣像データＤ１ａとの関連することが分かるようにこの貨幣像データＤ１ａ上に重ねて、識別結果である金種のテキストＴ１ａ（具体的には「１００００円」）を表示させる。このとき、金種毎にテキストＴ１ａの色を変える。例えば、一万円は赤色、五千円は黄色、二千円は緑色、千円は青色等である。勿論、金種毎にテキストＴ１ａの色を変えずに、すべて同一色（例えば青色）としても良い。
【００５３】
第１紙幣金種識別モードで、撮像データ内に複数の紙幣の貨幣像データを検出すると、ＣＰＵ６１は、これら複数の紙幣の貨幣像データに基づいてこれら複数の紙幣のそれぞれについて上記のようにして金種を識別し、ディスプレイ３４に紙幣のそれぞれの額面つまり金種のテキスト表示を表示させる。このときも、ＣＰＵ６１は、ディスプレイ３４に可視光カメラ５１の撮像データを表示させるとともに、この撮像データ内の複数の紙幣の貨幣像データのそれぞれに対して、識別したそれぞれの紙幣の金種を個別に関連付けて表示させる。
【００５４】
例えば、検出した紙幣が３枚あり、これら紙幣のそれぞれの貨幣像データに基づき、１枚目の紙幣は金種が一万円であり、２枚目の紙幣は金種が五千円であり、３枚目の紙幣は金種が千円であると識別した場合、ＣＰＵ６１は、図３（ｂ）に示すように、ディスプレイ３４に、これら紙幣の貨幣像データＤ２ａ，Ｄ２ｂ，Ｄ２ｃを含む撮像データＤ２を表示させるとともに、１枚目の紙幣の貨幣像データＤ２ａ上に重ねて識別結果である金種のテキストＴ２ａ（具体的には「１００００円」）を表示させ、２枚目の紙幣の貨幣像データＤ２ｂ上に重ねて識別結果である金種のテキストＴ２ｂ（具体的には「５０００円」）を表示させ、３枚目の紙幣の貨幣像データＤ２ｃ上に重ねて識別結果である金種のテキストＴ２ｃ（具体的には「１０００円」）を表示させる。このときも、金種毎にテキストの色を変える。例えば、一万円は赤色、五千円は黄色、二千円は緑色、千円は青色等である。勿論、金種毎にテキストの色を変えずに、すべて同一色（例えば青色）としても良い。
【００５５】
「第２紙幣金種識別モード」
第２紙幣金種識別モードは、第１紙幣金種識別モードに対して、撮像データ内の紙幣の貨幣像データへの、識別した紙幣の金種の関連付け表示の形式が異なっている。
【００５６】
例えば、検出した一枚のみの紙幣の貨幣像データに基づき、この紙幣は金種が一万円であると識別した場合、ＣＰＵ６１は、図４（ａ）に示すように、ディスプレイ３４に、この紙幣の貨幣像データＤ３ａを含む撮像データＤ３を表示させるとともに、この紙幣の貨幣像データＤ３ａとの関連付けが分かるように、この貨幣像データＤ３ａの近傍に、この貨幣像データＤ３ａに割り当てられた符号のテキストＴ３ａ（具体的には「（１）」）を表示させ、この符号のテキストＴ３ａと対応付けて識別結果である金種のテキストｔ３ａ（具体的には「（１）１００００円」）をディスプレイ３４上の所定位置（例えば、右上）に表示させる。このとき、金種毎にテキストの色を変える。例えば、一万円は赤色、五千円は黄色、二千円は緑色、千円は青色等である。勿論、金種毎に色を変えずに、すべて同一色（例えば青色）としても良い。
【００５７】
また、例えば、検出した紙幣が３枚あり、これら紙幣のそれぞれの貨幣像データに基づき、１枚目の紙幣は金種が一万円であり、２枚目の紙幣は金種が五千円であり、３枚目の紙幣は金種が千円であると識別した場合、ＣＰＵ６１は、図４（ｂ）に示すように、ディスプレイ３４に、これら紙幣の貨幣像データＤ４ａ，Ｄ４ｂ，Ｄ４ｃを含む撮像データＤ４を表示させるとともに、１枚目の紙幣の貨幣像データＤ４ａの近傍に、この貨幣像データＤ４ａに割り当てられた符号のテキストＴ４ａ（具体的には「（１）」）を表示させ、この符号のテキストＴ４ａと対応付けて識別結果である金種のテキストｔ４ａ（具体的には「（１）１００００円」）をディスプレイ３４上の所定位置（例えば、右上）に表示させるとともに、この紙幣の貨幣像データＤ４ａの外形線をなぞった外形強調線Ｌ４ａを表示させる。また、２枚目の紙幣の貨幣像データＤ４ｂの近傍に、この貨幣像データＤ４ｂに割り当てられた符号のテキストＴ４ｂ（具体的には「（２）」）を表示させ、この符号のテキストＴ４ｂと対応付けて識別結果である金種のテキストｔ４ｂ（具体的には「（２）５０００円」）をディスプレイ３４上の所定位置（例えば、１枚目のテキストｔ４ａの下）に表示させるとともに、この紙幣の貨幣像データＤ４ｂの外形線をなぞった外形強調線Ｌ４ｂを表示させる。さらに、３枚目の紙幣の貨幣像データＤ４ｃの近傍に、この貨幣像データＤ４ｃに割り当てられた符号のテキストＴ４ｃ（具体的には「（３）」）を表示させ、この符号のテキストＴ４ｃと対応付けて識別結果である金種のテキストｔ４ｃ（具体的には「（３）１０００円」）を所定位置（例えば、２枚目のテキストｔ４ｂの下）に表示させるとともに、この紙幣の貨幣像データＤ４ｃの外形線をなぞった外形強調線Ｌ４ｃを表示させる。このとき、対応するテキストおよび外形強調線の色を揃えつつ金種毎に色を変える。例えば、一万円は赤色、五千円は黄色、二千円は緑色、千円は青色等である。勿論、金種毎に色を変えずに、すべて同一色（例えば青色）としても良い。また、外形強調線は、例えば外形強調線Ｌ４ａ，Ｌ４ｂに示すように可視部分を実線、非可視部分を破線とする。
【００５８】
「紙幣合計額面算出モード」
紙幣合計額面算出モードが選択されると、ＣＰＵ６１は、可視光カメラ５１で撮像された撮像データ内で紙幣の貨幣像データの検出を行う（硬貨の貨幣像データの検出は行わない）。可視光カメラ５１で撮像された撮像データ内から一枚のみの紙幣の貨幣像データを検出すると、ＣＰＵ６１は、この紙幣の貨幣像データに基づいて、この紙幣の金種を上記のようにして識別し、ディスプレイ３４に、この紙幣の額面のテキスト表示を表示させる。このとき、ＣＰＵ６１は、ディスプレイ３４に可視光カメラ５１の撮像データを表示させるとともに、ディスプレイ３４上の所定位置（例えば、右上）に紙幣の合計の額面を表示させる。
【００５９】
例えば、検出した一枚のみの紙幣の貨幣像データに基づき、この紙幣は金種が一万円であると識別した場合、ＣＰＵ６１は、例えば、図５（ａ）に示すように、ディスプレイ３４に、この紙幣の貨幣像データＤ５ａを含む撮像データＤ５を表示させるとともに、この紙幣の額面のテキストＴ５ａ（具体的には「１００００円」）を表示させ、紙幣の貨幣像データＤ５ａの外形線をなぞった外形強調線Ｌ５ａを表示させる。
【００６０】
紙幣合計額面算出モードで、撮像データ内に複数の紙幣の貨幣像データを検出すると、ＣＰＵ６１は、これら複数の紙幣の貨幣像データに基づいてこれら複数の紙幣のそれぞれについて金種を識別し、ディスプレイ３４にこれら紙幣のそれぞれの額面を合計した合計額面のテキスト表示を表示させる。このときも、ＣＰＵ６１は、ディスプレイ３４に可視光カメラ５１の撮像データを表示させるとともに、ディスプレイ３４上の所定位置（例えば、右上）に複数の紙幣の合計の額面を表示させる。
【００６１】
例えば、検出した紙幣が３枚あり、これら紙幣のそれぞれの貨幣像データに基づき、１枚目の紙幣は金種が一万円であり、２枚目の紙幣は金種が五千円であり、３枚目の紙幣は金種が千円であると識別した場合、ＣＰＵ６１は、例えば、図５（ｂ）に示すように、ディスプレイ３４に、これら紙幣の貨幣像データＤ６ａ，Ｄ６ｂ，Ｄ６ｃを含む撮像データＤ６を表示させるとともに、ディスプレイ３４上の所定位置（例えば、右上）にこれら紙幣の合計額面のテキストＴ６ａ（具体的には「１６０００円」）を表示させ、各紙幣の貨幣像データＤ６ａ，Ｄ６ｂ，Ｄ６ｃの外形線をなぞった外形強調線Ｌ６ａ，Ｌ６ｂ，Ｌ６ｃを表示させる。このとき、金種毎に外形強調線の色を変える。例えば、一万円は赤色、五千円は黄色、二千円は緑色、千円は青色等である。勿論、金種毎に色を変えずに、すべて同一色（例えば青色）としても良い。外形強調線は、例えば可視部分のみを実線で示す。
【００６２】
「紙幣真偽識別モード」
紙幣真偽識別モードが選択されると、ＣＰＵ６１は、可視光カメラ５１、赤外線ＬＥＤ５２および赤外線カメラ５３で撮像された撮像データ内で紙幣の貨幣像データの検出を行う。撮像データ内から紙幣の貨幣像データを検出すると、ＣＰＵ６１は、この紙幣の貨幣像データに基づいて紙幣の金種および真偽を上記のようにして識別し、ディスプレイ３４に、真券の場合は紙幣の額面つまり金種のテキスト表示を、偽券の場合は「偽」のテキスト表示を表示させる。このとき、ＣＰＵ６１は、ディスプレイ３４に可視光カメラ５１の撮像データを表示させるとともに、この撮像データ内の紙幣の貨幣像データに、真券の場合は識別した紙幣の金種を、偽券の場合は偽券であることを示す旨の表示を、それぞれ関連付けて表示させる。
【００６３】
例えば、検出した紙幣の貨幣像データに基づき、この紙幣は金種が一万円であって真券であると識別した場合、ＣＰＵ６１は、例えば、図６（ａ）に示すように、ディスプレイ３４に、この紙幣の貨幣像データＤ７ａを含む撮像データＤ７を表示させるとともに、この紙幣の貨幣像データＤ７ａとの関連付けが分かるようにこの貨幣像データＤ７ａ上に重ねて、識別結果である金種のテキストＴ７ａ（具体的には「１００００円」）を、第１紙幣金種識別モードよりも大きく表示させる。このとき、テキストの色は真券に対応した色（例えば青色）とする。
【００６４】
また、例えば、検出した紙幣の貨幣像データに基づき、この紙幣は偽券であると識別した場合、ＣＰＵ６１は、例えば、図６（ｂ）に示すように、ディスプレイ３４に、この紙幣の貨幣像データＤ８ａを含む撮像データＤ８を表示させるとともに、この紙幣の貨幣像データＤ８ａとの関連付けが分かるようにこの貨幣像データＤ８ａ上に重ねて、識別結果の偽券であることを示すテキストＴ８ａ（具体的には「偽」）を表示させる。しかも、この紙幣の貨幣像データＤ８ａの外形線をなぞった形状の外形強調線Ｌ８ａを、貨幣像データＤ８ａの外形に対してずらして表示させることで、偽券であることを明示する。このとき、テキストおよび外形強調線の色を、偽券に対応した色（例えば注意を促す赤色）とする。
【００６５】
ここでは、紙幣真偽識別モードで一枚の紙幣の真偽を識別する場合を例にとり説明したが、複数枚の紙幣を並べて同時にそれぞれの真偽を識別しても良い。その場合、ＣＰＵ６１は、ディスプレイ３４に、これら紙幣の貨幣像データを含む撮像データを表示させるとともに、これら紙幣の貨幣像データそれぞれとの関連付けが分かるように各貨幣像データ上に重ねて、真券である場合には金種のテキストを、偽券である場合にはその旨を示すテキスト（具体的には「偽」）を表示させる。
【００６６】
「紙幣真偽識別ガイドモード」
紙幣真偽識別ガイドモードが選択されると、ＣＰＵ６１は、可視光カメラ５１で撮像された撮像データ内で紙幣の貨幣像データの検出を行う。撮像データ内から紙幣の貨幣像データを検出すると、ＣＰＵ６１は、この紙幣の貨幣像データに基づいて紙幣の金種を識別し、ディスプレイ３４に、この紙幣の貨幣像データを含む撮像データを表示させるとともに、この金種の真偽を識別することができる特徴点を表示させる。この表示を見て、使用者は実際の紙幣を確認する。
【００６７】
例えば、この金種の紙幣に、すかしがある場合、図７（ａ）に示すように、ディスプレイ３４に、この紙幣の貨幣像データＤ１０ａを含む撮像データＤ１０を表示させるとともに、すかしがある旨のテキストＴ１０ａと、すかしの図柄Ｋ１０ａと、紙幣におけるすかしの場所の強調表示Ｐ１０ａとを示す。また、この金種の紙幣にすき入れバーパターンがある場合、図７（ｂ）に示すように、ディスプレイ３４に、この紙幣の貨幣像データＤ１１ａを含む撮像データＤ１１を表示させるとともに、すき入れバーパターンを説明するテキストＴ１１ａと、すき入れバーパターンの形状Ｋ１１ａと、すき入れバーパターンの紙幣における場所の強調表示Ｐ１１ａとを示す。また、この金種の紙幣にホログラムがある場合、図７（ｃ）に示すように、ディスプレイ３４に、この紙幣の貨幣像データＤ１２ａを含む撮像データＤ１２を表示させるとともに、ホログラムを説明するテキストＴ１２ａと、ホログラムで出現する複数の形状Ｋ１２ａ〜Ｋ１２ｃと、ホログラムの紙幣における場所の強調表示Ｐ１２ａとを示す。この金種の紙幣に複数の特徴点がある場合、スイッチ４５の短押し操作で、ＣＰＵ６１は、ディスプレイ３４の表示を順に切り替える。
【００６８】
「硬貨金種識別モード」
硬貨金種識別モードが選択されると、ＣＰＵ６１は、可視光カメラ５１で撮像された撮像データ内から硬貨の貨幣像データの検出を行う。ＣＰＵ６１は、撮像データ内に例えば複数の硬貨の貨幣像データを検出すると、これら複数の硬貨の貨幣像データに基づいてこれら複数の硬貨のそれぞれについて金種を識別し、ディスプレイ３４に、これら硬貨の貨幣像データを含む撮像データを表示させるとともに、すべての硬貨の合計額面のテキスト表示と、硬貨の額面毎つまり各金種別の枚数のテキスト表示とを表示させる。
【００６９】
例えば、検出した硬貨が１４枚あり、これら硬貨のそれぞれの貨幣像データに基づき、金種が５００円である硬貨が１枚あり、金種が１００円である硬貨が４枚あり、金種が５０円である硬貨がなく、金種が１０円である硬貨が４枚あり、金種が５円である硬貨が１枚あり、金種が１円である硬貨が４枚あると識別した場合、ＣＰＵ６１は、図８に示すように、ディスプレイ３４に、１カ所の５００円硬貨の貨幣像データＤ２０ａ、４カ所の１００円硬貨の貨幣像データＤ２０ｂ、４カ所の１０硬貨の貨幣像データＤ２０ｄ、１カ所の５円硬貨の貨幣像データＤ２０ｅ、４カ所の１円硬貨の貨幣像データＤ２０ｆを含む撮像データＤ２０を表示させるとともに、ディスプレイ３４上の所定位置（例えば、右上）に、これら硬貨の合計額面のテキストＴ２０（具体的には「合計９４９円」）を表示させる。
【００７０】
また、金種が５００円である硬貨が１枚あることを、ディスプレイ３４上の所定位置（例えば、合計額面のテキストＴ２０の下側）にテキストＴ２０ａ（具体的には「５００円：１枚」）で表示させ、金種が１００円である硬貨が４枚あることを、ディスプレイ３４上の所定位置（例えば、５００円硬貨の枚数のテキストＴ２０ａの下側）にテキストＴ２０ｂ（具体的には「１００円：４枚」）で表示させる。また、金種が５０円である硬貨が０枚あることを、ディスプレイ３４上の所定位置（例えば、１００円硬貨の枚数のテキストＴ２０ｂの下側）にテキストＴ２０ｃ（具体的には「５０円：０枚」）で表示させ、金種が１０円である硬貨が４枚あることを、ディスプレイ３４上の所定位置（例えば、５０円硬貨の枚数のテキストＴ２０ｃの下側）にテキストＴ２０ｄ（具体的には「１０円：４枚」）で表示させる。また、金種が５円である硬貨が１枚あることを、ディスプレイ３４上の所定位置（例えば、１０円硬貨の枚数のテキストＴ２０ｄの下側）にテキストＴ２０ｅ（具体的には「５円：１枚」）で表示させ、金種が１円である硬貨が４枚あることを、ディスプレイ３４上の所定位置（例えば、５円硬貨の枚数のテキストＴ２０ｅの下側）にテキストＴ２０ｆ（具体的には「１円：４枚」）で表示させる。
【００７１】
加えて、５００円硬貨の１カ所の貨幣像データＤ２０ａの外形線をなぞった１カ所の外形強調線Ｌ２０ａと、１００円硬貨の４カ所の貨幣像データＤ２０ｂの外形線をそれぞれなぞった４カ所の外形強調線Ｌ２０ｂと、１０円硬貨の４カ所の貨幣像データＤ２０ｄの外形線をそれぞれなぞった４カ所の外形強調線Ｌ２０ｄと、５円硬貨の１カ所の貨幣像データＤ２０ｅの外形線をなぞった１カ所の外形強調線Ｌ２０ｅと、１円硬貨の４カ所の貨幣像データＤ２０ｆの外形線をそれぞれなぞった４カ所の外形強調線Ｌ２０ｆとを、表示させる。このとき、すべてのテキストおよび外形強調線を同一色（例えば赤色）とするが、対応するテキストおよび外形強調線の色を揃えつつ金種毎に色を変えても良い。
【００７２】
「硬貨合計額面算出モード」
硬貨合計額面算出モードが選択されると、ＣＰＵ６１は、硬貨金種識別モードと同様、可視光カメラ５１で撮像された撮像データ内に例えば複数の硬貨の貨幣像データを検出すると、これら複数の硬貨の貨幣像データに基づいてこれら複数の硬貨のそれぞれについて金種を識別し、ディスプレイ３４に、これら硬貨の貨幣像データを含む撮像データを表示させるとともに、すべての硬貨の合計額面のテキスト表示のみを表示させる。
【００７３】
例えば、上記した硬貨金種識別モードの例示と同様の硬貨を検出した場合、ＣＰＵ６１は、図９に示すように、ディスプレイ３４に、これら硬貨の貨幣像データを含む撮像データＤ２０を表示させるとともに、ディスプレイ３４上の所定位置（例えば、右上）に、これら硬貨の合計額面のテキストＴ２１（具体的には「９４９円」）を表示させ、貨幣像データの外形線をなぞった外形強調線Ｌ２０ａ，Ｌ２０ｂ，Ｌ２０ｄ〜Ｌ２０ｆを表示させる。このとき、テキストおよび外形強調線を同一色（例えば赤色）とする。
【００７４】
「第１最適支払硬貨選択モード」
第１最適支払硬貨選択モードが選択されると、ＣＰＵ６１は、ディスプレイ３４で代金金額の入力のガイド表示を表示させる。すると、使用者は、このガイド表示にしたがって操作入力装置４３への操作入力あるいは音声入力装置４４への音声入力で代金金額を入力する。また、ＣＰＵ６１は、可視光カメラ５１で撮像された撮像データ内から硬貨の貨幣像データの検出を行う。ＣＰＵ６１は、撮像データ内に例えば複数の硬貨の貨幣像データを検出すると、これら複数の硬貨の貨幣像データに基づいてこれら複数の硬貨のそれぞれについて金種を識別し、入力された代金金額を支払うのに最適な最適支払貨幣を選択する。
【００７５】
つまり、代金金額に対し釣銭貨幣が発生しない硬貨の組み合わせがある場合には、これら硬貨を最適支払貨幣として選択する。この場合、ＣＰＵ６１は、ディスプレイ３４に、すべての硬貨の貨幣像データを含む撮像データを表示させるとともに、代金金額のテキスト表示と、最適支払貨幣として選択したすべての硬貨の貨幣像データの外形線をなぞった外形強調線とを表示させる。つまり、ディスプレイ３４は、最適支払貨幣を、撮像データ内の最適支払貨幣の貨幣像データと関連付けて表示する。
【００７６】
例えば、代金金額として２１６円が入力され、１００円の硬貨２枚と１０円の硬貨１枚と５円の硬貨１枚と１円の硬貨１枚とを含む上記した硬貨金種識別モードの例示と同様の硬貨を検出した場合、ＣＰＵ６１は、図１０に示すように、ディスプレイ３４に、これら硬貨の貨幣像データＤ２０ａ，Ｄ２０ｂ，Ｄ２０ｄ〜Ｄ２０ｆを含む撮像データＤ２０を表示させるとともに、ディスプレイ３４上の所定位置（例えば、右上）に、代金金額のテキストＴ２２（具体的には「２１６円」）を表示させる。それとともに、最適支払貨幣として選択した、２枚の１００円硬貨の貨幣像データＤ２０ｂの外形線をなぞった２カ所の外形強調線Ｌ２０ｂと、１枚の１０円硬貨の貨幣像データＤ２０ｄの外形線をなぞった１カ所の外形強調線Ｌ２０ｄと、１枚の５円硬貨の貨幣像データＤ２０ｅの外形線をなぞった１カ所の外形強調線Ｌ２０ｅと、１枚の１円硬貨の貨幣像データＤ２０ｆの外形線をなぞった１カ所の外形強調線Ｌ２０ｆとを表示させる。このとき、テキストおよびすべての外形強調線を同一色（例えば赤色）とするが、外形強調線の色を金種毎に変えても良い。
【００７７】
また、代金金額に対し釣銭貨幣が発生しない硬貨の組み合わせがない場合には、代金金額に対しこれを上回る各組の合計額面に対して代金金額を減算して釣銭金額を算出し、釣銭金額を構成する釣銭貨幣の枚数が最小となる最適支払貨幣を選択する。この場合、ＣＰＵ６１は、ディスプレイ３４に、すべての硬貨の貨幣像データを含む撮像データを表示させるとともに、代金金額のテキストと、最適支払貨幣の合計額面のテキストと、最適支払貨幣の合計額面から代金金額を減算した釣銭金額のテキストとを表示させる。加えて、最適支払貨幣として選択したすべての硬貨の貨幣像データの外形線をなぞった外形強調線とを表示させる。
【００７８】
例えば、代金金額として４０５円が入力され、上記した硬貨金種識別モードの例示と同様の硬貨を検出した場合、ＣＰＵ６１は、図１１に示すように、ディスプレイ３４に、これら硬貨の貨幣像データＤ２０ａ，Ｄ２０ｂ，Ｄ２０ｄ〜Ｄ２０ｆを含む撮像データＤ２０を表示させるとともに、ディスプレイ３４上の所定位置（例えば、右上）に、代金金額のテキストＴ２３（具体的には「４０５円」）を表示させ、ディスプレイ３４上の所定位置（例えば、代金金額のテキストＴ２３の下側）に最適支払貨幣の合計額面のテキストＴ２４（具体的には「払：５０５円」）を表示させ、ディスプレイ３４上の所定位置（例えば、最適支払貨幣の合計額面のテキストＴ２４の下側）に、釣銭金額のテキストＴ２５（具体的には「釣：１００円」）を表示させる。それとともに、最適支払貨幣として選択した、１枚の５００円硬貨の貨幣像データＤ２０ａの外形線をなぞった１カ所の外形強調線Ｌ２０ａと、１枚の５円硬貨の貨幣像データＤ２０ｅの外形線をなぞった１カ所の外形強調線Ｌ２０ｅとを表示させる。このとき、テキストおよびすべての外形強調線を同一色（例えば赤色）とするが、外形強調線の色を金種毎に変えても良い。
【００７９】
すると、使用者は、ディスプレイ３４に表示された主として外形強調線Ｌ２０ａ，Ｌ２０ｅを参照して、５００円硬貨と５円硬貨を選択して支払いを行い、１００円硬貨１枚の釣銭を受け取る。
【００８０】
「第２最適支払硬貨選択モード」
第２最適支払硬貨選択モードが選択されると、代金金額に対し釣銭貨幣が発生しない硬貨の組み合わせがある場合には、ＣＰＵ６１は、第１最適支払硬貨選択モードと同様の制御を行う。
【００８１】
第２最適支払硬貨選択モードにて、入力された代金金額に対し釣銭貨幣が発生しない硬貨の組み合わせがない場合には、第１最適支払硬貨選択モードと同様に最適支払貨幣を選択するが、ＣＰＵ６１は、ディスプレイ３４に、すべての硬貨の貨幣像データを含む撮像データを表示させるとともに、最適支払貨幣を構成する硬貨の貨幣像データとの関連付けが分かるようにこれら貨幣像データの上にそれぞれ異なる符号のテキストを表示させ、代金金額のテキストと、各符号のテキストと対応付けた金種および額面のテキストと、最適支払貨幣の合計額面から代金金額を減算した釣銭金額のテキストとを表示させる。加えて、最適支払貨幣として選択したすべての硬貨の貨幣像データの外形線をなぞった外形強調線を表示させる。
【００８２】
例えば、代金金額として４０５円が入力され、上記した硬貨金種識別モードの例示と同様の硬貨を検出した場合、ＣＰＵ６１は、図１２に示すように、ディスプレイ３４に、これら硬貨の貨幣像データＤ２０ａ，Ｄ２０ｂ，Ｄ２０ｄ〜Ｄ２０ｆを含む撮像データＤ２０を表示させるとともに、最適支払貨幣を構成する１枚目の５００円硬貨の貨幣像データＤ２０ａの上に、これに割り当てられた符号のテキストＴ２６ａ（具体的には「（１）」）を表示させ、この符号のテキストＴ２６ａと対応付けた金種および額面のテキストｔ２６ａ（具体的には「払：（１）５００円」）をディスプレイ３４上の所定位置（例えば、代金金額のテキストＴ２３の下側）に表示させ、最適支払貨幣を構成する２枚目の５円硬貨の貨幣像データＤ２０ｅの上に、これに割り当てられた符号のテキストＴ２６ｅ（具体的には「（２）」）を表示させ、この符号のテキストＴ２６ｅと対応付けた金種および額面のテキストｔ２６ｅ（具体的には「（２）５円」）をディスプレイ３４上の所定位置（例えば、１枚目のテキストｔ２６ａの下側）に表示させ、ディスプレイ３４上の所定位置（例えば、最適支払貨幣の最も下側のテキストｔ２６ｅの下側）に、釣銭金額のテキストＴ２５（具体的には「釣：１００円」）を表示させる。このとき、すべてのテキストを同一色（例えば赤色）とするが、対応するテキストの色を揃えつつ金種毎に色を変えても良い。
【００８３】
すると、使用者は、ディスプレイ３４に表示された主としてテキストＴ２６ａ，Ｔ２６ｅを参照して、５００円硬貨と５円硬貨を選択して支払いを行い、１００円硬貨１枚の釣銭を受け取る。
【００８４】
ここで、図８〜図１２では、カルトン上に貨幣を置いた場合を示しているが、テーブルや手の平等、どのような場所に貨幣を置いても良い。しかしながら、識別時間を短縮するためには、無地に近い場所に貨幣を置くのが好ましい。
【００８５】
以上においては、日本の貨幣を識別する場合を例にとり説明したが、各国の貨幣を同様に識別することができる。また、以上においては、テキストの言語を日本語とする場合を例にとり説明したが、テキストの言語は各国の言語を選択設定可能となっている。
【００８６】
また、上記したすべてのモードについて、識別した貨幣の額面と、この額面を記憶部６２に記憶された為替レートに基づき変換した額面とをディスプレイ３４に並べて表示させることが可能となっている。
【００８７】
第１紙幣金種識別モードと紙幣真偽識別モードとを同時並行で行い、真券の紙幣の貨幣像データに対しては金種のテキスト表示を表示させる一方、偽券の紙幣の貨幣像データに対しては偽券である旨のテキスト表示を表示させても良い。同様に、第２紙幣金種識別モードと紙幣真偽識別モードとを同時並行で行っても良い。また、紙幣合計額面算出モードと紙幣真偽識別モードとを同時並行で行い、真券の紙幣についてのみ合計額面のテキスト表示を表示させる一方、偽券の紙幣の貨幣像データに対しては偽券である旨のテキスト表示を表示させても良い。
【００８８】
また、撮像データ内に紙幣の貨幣像データと硬貨の貨幣像データとが混在する場合に、上記した第１紙幣金種識別モードあるいは第２紙幣金種識別モードと、硬貨金種識別モードとを同時並行で行い、紙幣および硬貨のそれぞれの識別結果をディスプレイ３４に合せて表示しても良い。その際に、第１紙幣金種識別モードあるいは第２紙幣金種識別モードについては、紙幣真偽識別モードをさらに同時並行で行っても良い。あるいは、上記した紙幣合計額面算出モードと硬貨合計額面算出モードとを同時並行で行い、紙幣および硬貨のそれぞれの識別結果をディスプレイ３４に合せて表示しても良い。その際に、紙幣合計額面算出モードについては、紙幣真偽識別モードをさらに同時並行で行っても良い。
【００８９】
また、撮像データ内に紙幣の貨幣像データと硬貨の貨幣像データとが混在する場合に、上記した第１最適支払硬貨選択モードあるいは第２最適支払硬貨選択モードにて紙幣の金種識別も行い、紙幣も合せて最適支払貨幣を選択設定するようにしても良い。その際にも、紙幣の金種識別と同時並行で真偽識別を行うことが可能である。
【００９０】
また、時計を内蔵することで上記モードの実行時の時刻情報を、撮像データおよび識別結果と合せて記憶部６２に記憶させても良い。加えて、ＧＰＳを内蔵することで、上記モードの実行時の位置情報を、撮像データおよび識別結果と合せて記憶部６２に記憶させても良い。
【００９１】
また、貨幣の識別時に、発行年号を確認して古銭的価値がある貨幣を検出した場合に、ディスプレイ３４に、この貨幣の貨幣像データを含む撮像データを表示させるとともに、この貨幣の貨幣像データにその旨の表示を行っても良い。また、貨幣の識別時に、記念貨幣であると識別した貨幣がある場合に、ディスプレイ３４に、この貨幣の貨幣像データを含む撮像データを表示させるとともに、この貨幣の貨幣像データにその旨の表示を行っても良く、その際に、記念貨幣の解説を合せて表示させても良い。
【００９２】
以上に述べた本実施形態によれば、使用者が眼鏡部１５において眼鏡型貨幣識別装置１１をかけると、眼鏡部１５に設けられた貨幣識別部１６の可視光カメラ５１および赤外線カメラ５３が使用者の視界の方向となる前方を撮像する。貨幣識別部１６のＣＰＵ６１は、可視光カメラ５１および赤外線カメラ５３が撮像した撮像データ内に貨幣の貨幣像データを検出した場合に、この貨幣像データに基づいて貨幣を識別する。そして、ＣＰＵ６１の識別結果に基づいてディスプレイ３４が眼鏡部１５の前部に表示を行う。使用者はこの表示を見て、前方にある貨幣に関する情報を得る。よって、貨幣をやり取りする相手や周囲の人が感じる違和感を抑制しつつ、貨幣の正確且つ円滑な使用を補助できる。
【００９３】
また、ＣＰＵ６１が撮像データ内の貨幣の貨幣像データに基づいて貨幣の金種を識別することになり、ディスプレイ３４は、ＣＰＵ６１が識別した貨幣の金種を眼鏡部１５の前部に表示する。使用者はこの表示を見て、前方にある貨幣の金種を認識する。よって、貨幣の金種判断を補助することができ、貨幣の正確且つ円滑な使用を補助できる。
【００９４】
また、ディスプレイ３４は、撮像データを表示するとともにＣＰＵ６１が識別した貨幣の金種を撮像データ内の貨幣像データと関連付けて表示するため、金種の判断対象となる貨幣を使用者に正しく認識させることができる。
【００９５】
また、ＣＰＵ６１が撮像データ内の複数の貨幣の貨幣像データに基づいて複数の貨幣のそれぞれの金種を識別することになり、ディスプレイ３４は、ＣＰＵ６１が識別した複数の貨幣の金種をそれぞれ眼鏡部１５の前部に表示する。使用者はこの表示を見て、前方にある複数の貨幣のそれぞれの金種を認識する。よって、複数の貨幣の金種判断を補助することができ、複数の貨幣の正確且つ円滑な使用を補助できる。
【００９６】
また、ディスプレイ３４は、撮像データを表示するとともにＣＰＵ６１が識別した複数の貨幣のそれぞれの金種を撮像データ内の複数の貨幣像データと個別に関連付けて表示するため、金種の判断対象の複数の貨幣を使用者に正しく認識させることができる上、判断した各金種と各貨幣との対応関係を使用者に正しく認識させることができる。
【００９７】
また、ＣＰＵ６１が撮像データ内の複数の貨幣の貨幣像データに基づいて複数の貨幣のそれぞれの金種を識別することになり、ディスプレイ３４は、ＣＰＵ６１が識別した複数の貨幣の合計額面を表示する。使用者はこの表示を見て、前方にある複数の貨幣の合計額面を認識する。よって、複数の貨幣の合計額面の判断を補助することができ、複数の貨幣の正確且つ円滑な使用を補助できる。
【００９８】
また、ＣＰＵ６１が撮像データ内の複数の貨幣の貨幣像データに基づいて複数の貨幣のそれぞれの金種を識別することになり、ディスプレイ３４は、ＣＰＵ６１が識別した複数の貨幣の各金種別の枚数を表示する。使用者はこの表示を見て、前方にある複数の貨幣の各金種別の枚数を認識する。よって、複数の貨幣の各金種別の枚数の判断を補助することができ、複数の貨幣の正確且つ円滑な使用を補助できる。
【００９９】
また、操作入力装置４３あるいは音声入力装置４４に代金金額が入力されると、ＣＰＵ６１は、撮像データ内の複数の貨幣像データに基づいて複数の貨幣のそれぞれの金種を識別して代金金額を支払うのに最適な最適支払貨幣を選択する。すると、ディスプレイ３４は、撮像データを表示するとともに、ＣＰＵ６１で選択された最適支払貨幣を、撮像データ内の最適支払貨幣の貨幣像データと関連付けて表示する。使用者はこの表示を見て、前方にある複数の貨幣の中の最適支払貨幣を認識する。よって、代金金額の正確且つ円滑な支払いを補助することができる。
【０１００】
また、ＣＰＵ６１が最適支払貨幣の合計額面から代金金額を減算した釣銭金額を算出すると、ディスプレイ３４は、代金金額と最適支払貨幣の合計額面と釣銭金額とを表示する。使用者はこの表示を見て、代金金額と最適支払貨幣の合計額面と釣銭金額とを認識することができる。よって、代金金額の正確且つ円滑な支払いを補助することができる。
【０１０１】
また、ディスプレイ３４は、ＣＰＵ６１が識別した貨幣の額面を、記憶部６２が記憶する為替レートに基づき変換して表示するため、使用者はこの表示を見れば、不慣れな貨幣の価値を慣れた貨幣の価値で認識できる。
【０１０２】
また、ＣＰＵ６１が無線通信部４６を介して為替レートを外部から取得して記憶部６２に記憶するため、為替レートの変動に追従することが可能となる。
【０１０３】
また、ＣＰＵ６１は、可視光カメラ５１の撮像データ内に硬貨の貨幣像データを検出した場合に硬貨の貨幣像データに基づいて硬貨の金種を識別し、可視光カメラ５１の撮像データ内に紙幣の貨幣像データを検出した場合に、紙幣の貨幣像データに基づいて紙幣の金種を識別する。また、ＣＰＵ６１は、赤外線カメラ５３の検出結果から紙幣の真偽を識別する。このため、紙幣については、真偽も識別できる。
【符号の説明】
【０１０４】
１１  眼鏡型貨幣識別装置
１５  眼鏡部
１６  貨幣識別部
３４  ディスプレイ（表示手段）
４３  操作入力装置（入力手段）
４４  音声入力装置（入力手段）
４６  無線通信部（無線通信手段）
５１  可視光カメラ（撮像手段）
５２  赤外線ＬＥＤ（撮像手段，赤外線照射手段）
５３  赤外線カメラ（撮像手段）
６１  ＣＰＵ（識別手段，算出手段）
６２  記憶部（記憶手段）
【図１】
2016146065.tif 000003
【図２】
2016146065.tif 000004
【図３】
2016146065.tif 000005
【図４】
2016146065.tif 000006
【図５】
2016146065.tif 000007
【図６】
2016146065.tif 000008
【図７】
2016146065.tif 000009
【図８】
2016146065.tif 000010
【図９】
2016146065.tif 000011
【図１０】
2016146065.tif 000012
【図１１】
2016146065.tif 000013
【図１２】
2016146065.tif 000014